【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
生体電気信号センサ用の装置であって、
旋回および回転可能なホルダと、
電極セットを有する前記ホルダに接続された異形生体電気信号センサと、を備え、
前記電極セットが、
導電性付勢機構、開口部、および接続部を有する基部と、
乾式電極である異形電極であって、ユーザの頭部との接触を維持する突形状を有するキャップ部と、前記キャップ部の前記突形状とは反対側から突出し、保持用隆起部を有するポスト部と、を備え、前記突形状を有するキャップ部と前記ポスト部とが電気的に接続される異形電極と、を備え、
前記異形電極は、前記基部の前記開口部に挿入され、
前記異形電極は、前記保持用隆起部により前記基部内に解放可能に保持され、
前記異形電極の前記保持用隆起部を有する前記ポスト部は、前記付勢機構と係合するとともに、前記付勢機構と電気的に接続され、
前記異形電極により検出される信号は、前記異形電極と前記電気的に接続された付勢機構とを介して前記接続部に伝達され、
前記異形電極は、前記基部の前記開口部内において旋回および回転可能である、生体電気信号センサ用の装置。
【請求項２】
請求項１記載の装置であって、さらに、
ヘッドセットを備え、
前記ホルダは前記ヘッドセットに接続されている、装置。
【請求項３】
請求項２記載の装置であって、
前記ヘッドセットは、音声スピーカおよび複数の音声制御部を含む、装置。
【請求項４】
請求項３記載の装置であって、
前記ホルダは、前記ヘッドセットの一体化された構成要素である、装置。
【請求項５】
請求項４記載の装置であって、
前記ホルダが前記ヘッドセットのイヤピースに一体化されている、装置。
【請求項６】
請求項５記載の装置であって、
フレキシブルアームが、前記ヘッドセットに接続されている、装置。
【請求項７】
請求項１記載の装置であって、
前記突形状を有する前記キャップ部を備える前記異形電極は、段階的な外縁を備えた単一形状の突部を有する、装置。
【請求項８】
請求項７記載の装置であって、
前記異形電極の前記突形状は、球状、半球状、四半球状、しずく状、楕円状、および長方形状から構成される集合から選択される、装置。
【請求項９】
請求項１記載の装置であって、
前記異形電極は、交換可能である、装置。
【請求項１０】
請求項１記載の装置であって、
乾式電極を備える前記異形電極は、導電性繊維で覆われている、装置。
【請求項１１】
請求項１０記載の装置であって、
前記異形電極を覆っている前記導電性繊維は、前記接続部に電気的に接続されている、装置。
【請求項１２】
請求項１１記載の装置であって、
前記異形電極を覆っている前記導電性繊維は、前記導電性繊維を前記接続部に接続する、金属台部、金属ワイヤループ、および糸結束ポスト付き導電糸を含む集合から選択される接続手段によって、前記接続部に電気的に接続されている、装置。
【請求項１３】
生体電気信号センサ用の装置であって、
一個以上の生体電気信号センサを収容するホルダと、
前記ホルダに接続され、電極組立体を有する生体電気信号センサと、を備え、
前記電極組立体は、
保持用螺旋ネジ山を有する開口部および接続部を備える基部と、
乾式電極である異形電極であって、ユーザの頭部との接触を維持する突形状を有するキャップ部と、前記キャップ部の前記突形状とは反対側から突出し、ポスト部螺旋ネジ山を有するポスト部と、を備え、前記キャップ部と前記ポスト部とが電気的に接続される異形電極と、を備え、
前記異形電極は、前記基部の前記開口部にねじ込まれ、
前記異形電極は、解放可能に保持され、前記ポスト部螺旋ネジ山と前記基部の前記保持用螺旋ネジ山との嵌合を介して前記接続部と電気的に接続され、
前記異形電極により検出される信号は、前記異形電極の前記キャップ部を介して、前記電気的に接続されたポスト部と、前記ポスト部螺旋ネジ山と前記基部の前記保持用螺旋ネジ山との嵌合部と、に伝達され、さらに、前記接続部に伝達される、生体電気信号センサ用の装置。
【請求項１４】
請求項１３記載の装置であって、さらに、
ヘッドセットを備え、
前記ホルダは前記ヘッドセットに接続されている、装置。
【請求項１５】
請求項１４記載の装置であって、
前記ホルダが前記ヘッドセットのイヤピースに一体化されている、装置。
【請求項１６】
請求項１５記載の装置であって、
前記ヘッドセットは、音声スピーカおよび複数の音声制御部を含む、装置。
【請求項１７】
請求項１３記載の装置であって、
前記突形状を有する前記キャップ部を備える前記電極は、特定の突形状を備え、
前記特定の突形状は、球状、半球状、四半球状、しずく状、楕円状、および長方形状から構成される集合から選択される、装置。
【請求項１８】
請求項１３記載の装置であって、
前記基部は、ナット基部を備え、
前記電極は、ネジ電極を備え、
前記突形状を有する前記キャップ部は、前記ネジ電極の頂部を備え、
前記ポスト部は、前記ネジの前記ポストを備え、
前記ポスト部螺旋ネジ山は、複数のネジ山を有する、装置。
【請求項１９】
請求項１５記載の装置であって、
前記ホルダは、前記ヘッドセットの一体化された構成要素である、装置。
【請求項２０】
請求項１４記載の装置であって、
フレキシブルアームが、前記ヘッドセットに接続されている、装置。
【請求項２１】
請求項１３記載の装置であって、
前記突形状を有する前記キャップ部を備える前記電極は、段階的な外縁を備えた単一形状の突部を有する、装置。
【請求項２２】
請求項１３記載の装置であって、
前記電極は、交換可能である、装置。
【請求項２３】
請求項１３記載の装置であって、
前記電極は、導電性繊維で覆われている、装置。
【請求項２４】
請求項２３記載の装置であって、
前記電極を覆っている前記導電性繊維は、接続部に電気的に接続されている、装置。
【手続補正２】
【補正対象書類名】明細書
【補正対象項目名】００２８
【補正方法】変更
【補正の内容】
【００２８】
図５は、電極セットの分解組立図を示す別の実施形態の図である。図示したように、本実施形態では、図４のバネ組立体関連機構の代わりとして、電極組立体は、キャップ５１０と、螺旋ネジ山５３０を含むポスト５２０とを備えたネジ５０５を含む。この例において、ネジ５０５は、保持用ネジ山５４０を備えた開口部５６０を有するベース５５０に接続しており、これにより、ナットおよびボルトのメカニズムと同様の螺旋ネジ山５３０および保持用ネジ山５４０を介して、ネジ５０５をベース５５０に接続させて、電極セット組立体を、例えばセンサヘッドセットに固定することができる。ベース５５０は、電極セットに一体化および／または電気的に連通させた回路（図示せず）を接続するワイヤ等の接続部５７０を含む。一実施形態において、電極の旋回および回転は、センサヘッドセットに接続されたフレキシブル前額部センサアームによりもたらされる。一実施形態において、電極の旋回および回転は、センサヘッドセットに接続された旋回および回転可能なイヤピースによりもたらされる。
【手続補正３】
【補正対象書類名】明細書
【補正対象項目名】００３２
【補正方法】変更
【補正の内容】
【００３２】
図９は、前額部センサアームの実施形態を示す図である。図９に示したように、前額部センサアーム９１０は、電極信号センサ９２０を含む。一実施形態において、前額部センサアーム９１０は、柔軟性を有すると共に、電気信号センサ９２０を使用者の前額部の皮膚との密接かつ安定した継続的接触状態に維持するために十分な弾力性を有する。一実施形態において、電極信号センサ９２０は、異形電極（例えば、図４に示した電極セット４２０）である。
【手続補正４】
【補正対象書類名】明細書
【補正対象項目名】００３４
【補正方法】変更
【補正の内容】
【００３４】
以上、理解を明確にする目的から、ある程度詳細に実施形態を説明してきたが、本発明は、記載した詳細に限定されない。本発明を実現する方法は他に多数存在する。開示した実施形態は、例示的であって、限定的なものではない。
たとえば、本発明は以下のような態様で実現することもできる。
［適用例１］生体電気信号センサ用装置であって、
旋回および回転可能なホルダと、
前記ホルダに接続された異形生体電気信号センサであって、突形状の電極を含む異形生体電気信号センサと、を備える生体電気信号センサ用装置。
［適用例２］適用例１の生体電気信号センサ用装置であって、さらに、
前記ホルダが接続されたヘッドセットを備える、生体電気信号センサ用装置。
［適用例３］適用例１の生体電気信号センサ用装置であって、さらに
前記ホルダが接続されたヘッドセットであって、音声スピーカおよび複数の音声制御部を含むヘッドセットを備える、生体電気信号センサ用装置。
［適用例４］適用例１の生体電気信号センサ用装置であって、さらに、
音声スピーカおよび複数の音声制御部を含むと共に、前記ホルダが一体化された構成要素であるヘッドセットを備える、生体電気信号センサ用装置。
［適用例５］適用例１の生体電気信号センサ用装置であって、さらに、
ヘッドセットを備え、
前記ホルダが前記ヘッドセットのイヤピースに一体化されている、生体電気信号センサ用装置。
［適用例６］適用例１の生体電気信号センサ用装置であって、
前記ホルダは、フレキシブルアームに接続され、
前記フレキシブルアームは、ヘッドセットに接続される、生体電気信号センサ用装置。
［適用例７］適用例１の生体電気信号センサ用装置であって、
前記異形電極は成形電極である、生体電気信号センサ用装置。
［適用例８］適用例１の生体電気信号センサ用装置であって、
前記異形電極は成形電極であり、
前記電極の形状は、球状、半球状、四半球状、しずく状、楕円状、および長方形状から選択される、生体電気信号センサ用装置。
［適用例９］適用例１の生体電気信号センサ用装置であって、さらに、
乾式電極である前記異形成形電極を含む電極セットを備え、
前記電極セットは、さらに
導電性付勢機構、開口部、および接続部を有する基部と、
キャップ部と、前記キャップ部に接続され保持用隆起部を有するポスト部と、を有する導電性電極と、を含み、
前記電極は、前記基部の前記開口部に挿入され、
前記電極は、前記保持用隆起部により前記基部内に解放可能に保持され、
前記電極は、前記基部の前記開口部内において旋回および回転可能であり、
前記電極により検出された信号は、前記導電性電極および前記導電性付勢機構を通過して前記接続部に至る、生体電気信号センサ用装置。
［適用例１０］適用例１の生体電気信号センサ用装置であって、さらに、
乾式電極である前記異形成形電極を含む電極セットを備え、
前記電極セットは、さらに
導電性付勢機構、開口部、および接続部を有する基部と、
キャップ部と、前記キャップ部に接続され保持用隆起部を有するポスト部と、を有する導電性電極と、を含み、
前記電極は、前記基部の前記開口部に挿入され、前記電極は、前記保持用隆起部により前記基部内に解放可能に保持され、
前記電極は、前記基部の前記開口部内において旋回および回転可能であり、
前記電極により検出された信号は、前記導電性電極および前記導電性付勢機構を通過して前記接続部に至り、
前記導電性電極は、交換可能である、生体電気信号センサ用装置。
［適用例１１］適用例１の生体電気信号センサ用装置であって、さらに、
乾式電極である前記異形成形電極を含む電極セットを備え、
前記電極セットは、さらに
開口部および接続部を有する基部と、
キャップ部と、前記キャップ部に接続され螺旋ネジ山を有するポスト部と、を有する導電性電極と、を含み、
前記電極は、前記基部の前記開口部にねじ込まれ、
前記電極は、前記基部の前記開口部内の保持用螺旋ネジ山により、前記基部内に、解放可能に保持され、
前記電極により検出された信号は、前記導電性電極キャップを通過して前記ポストに至り、さらに、前記基部を通過して前記接続部に至る、生体電気信号センサ用装置。
［適用例１２］適用例１の生体電気信号センサ用装置であって、
前記異形電極は、導電性繊維を含む、生体電気信号センサ用装置。
［適用例１３］適用例１の生体電気信号センサ用装置であって、さらに、
導電性繊維を含む前記異形成形電極を含む電極セットを備え、
前記電極セットは、さらに
前記導電性繊維に周囲を覆われた異形形状を有する基部と
前記導電性繊維を接続線に接続する電気接続部と、を含み、
前記電気接続部は、前記導電性繊維を前記接続線に接続する金属台部、金属ワイヤループ、または糸結束ポスト付き導電糸等である、生体電気信号センサ用装置。
［適用例１４］適用例１の生体電気信号センサ用装置であって、さらに、
導電性繊維を含む前記異形成形電極を含む電極セットを備え、
前記電極セットは、さらに
前記導電性繊維に周囲を覆われた異形形状を有する基部と
前記導電性繊維を接続線に接続する電気接続部と、を含み、
前記電気接続部は、前記導電性繊維を前記接続線に接続する、金属台部、金属ワイヤループ、および糸結束ポスト付き導電糸の集合から選択される、生体電気信号センサ用装置。
［適用例１５］生体電気信号センサ用装置であって、
一個以上の生体電気信号センサを収容するホルダと、
前記ホルダに接続された生体電気信号センサと、
前記ホルダとの接続のためのネジおよびナットを含む電極組立体と、を備える生体電気信号センサ用装置。
［適用例１６］適用例１５の生体電気信号センサ用装置であって、さらに、
音声スピーカおよび複数の音声制御部を含むと共に、前記ホルダが一体化された構成要素であるヘッドセットを備える、生体電気信号センサ用装置。
［適用例１７］適用例１５の生体電気信号センサ用装置であって、さらに、
ヘッドセットを備え、
前記ホルダが前記ヘッドセットのイヤピースに一体化されている、生体電気信号センサ用装置。
［適用例１８］適用例１５の生体電気信号センサ用装置であって、
前記電極は異形電極である、生体電気信号センサ用装置。
［適用例１９］適用例１５の生体電気信号センサ用装置であって、
前記電極は異形電極であり、
前記電極の形状は、球状、半球状、四半球状、しずく状、楕円状、および長方形状から選択され、
前記成形電極は、導電性繊維を含む、生体電気信号センサ用装置。
［適用例２０］適用例１５の生体電気信号センサ用装置であって、
前記電極組立体は、さらに、
乾式電極である前記電極を含む電極セットを備え、
前記電極セットは、さらに
開口部および接続部を有する基部と、
キャップ部と、前記キャップ部に接続され螺旋ネジ山を有するポスト部と、を有する導電性電極と、を含み、
前記電極は、前記基部の前記開口部にねじ込まれ、
前記電極は、前記基部の前記開口部内の保持用螺旋ネジ山により、前記基部内に、解放可能に保持され、
前記電極により検出された信号は、前記導電性電極キャップを通過して前記ポストに至り、さらに、前記基部を通過して前記接続部に至る、生体電気信号センサ用装置。